(57)【特許請求の範囲】
【請求項１】
ハウジングであって、壊れやすい光出射窓、及び前記ハウジング内の第１電気コネクタを含む取り付け具を有するハウジングと、
複数のＳＳＬ素子、及び前記第１電気コネクタと接触している第２電気コネクタを有する、前記ハウジング内の担体アセンブリであって、前記第２電気コネクタが、前記光出射窓によって、前記第１電気コネクタと接触するよう保たれる担体アセンブリと、
前記壊れやすい光出射窓が壊れる又は取り除かれるときに前記第１電気コネクタと前記第２電気コネクタとを離れさせるための圧縮された弾性素子と、
ユーザが前記第１電気コネクタと接触するのを防止するための、前記ハウジング内の安全カバーとを有する照明装置。
【請求項２】
前記光出射窓が球根状である請求項１に記載の照明装置。
【請求項３】
前記光出射窓がガラス製である請求項１又は２に記載の照明装置。
【請求項４】
前記弾性素子が、バネ、好ましくは、コイルばねを有する請求項１に記載の照明装置。
【請求項５】
前記弾性素子と、前記第１電気コネクタと及び／又は前記第２電気コネクタとの間に電気絶縁スペーサを更に有し、前記電気絶縁スペーサが、前記弾性素子の少なくとも一部を覆う請求項１乃至４のいずれか一項に記載の照明装置。
【請求項６】
前記安全カバーがプラスチック材料製である請求項１乃至５のいずれか一項に記載の照明装置。
【請求項７】
前記第１電気コネクタが２つの板ばねを有する請求項１乃至６のいずれか一項に記載の照明装置。
【請求項８】
前記光出射窓が、前記ハウジング内に延在する前記担体アセンブリと接続するための突出部を有し、前記担体アセンブリの前記第２電気コネクタが、前記突出部によって、前記第１電気コネクタと接触するよう保たれる請求項１乃至７のいずれか一項に記載の照明装置。
【請求項９】
前記担体アセンブリが、主要部と、前記主要部から前記光出射窓へ延在するアダプタとを有する請求項１乃至８のいずれか一項に記載の照明装置。
【請求項１０】
前記担体アセンブリがプリント回路基板を有する請求項１乃至９のいずれか一項に記載の照明装置。
【請求項１１】
ドライバを更に有し、前記ドライバが、前記担体アセンブリ又は前記取り付け具に取り付けられる請求項１乃至１０のいずれか一項に記載の照明装置。
【請求項１２】
前記第２電気コネクタが電気接触ピンを有する請求項１乃至１１のいずれか一項に記載の照明装置。
【請求項１３】
請求項１乃至１２のいずれか一項に記載の照明装置を有する照明器具。
【発明の詳細な説明】
【技術分野】
【０００１】
本発明は、照明装置、とりわけ、固体照明（ＳＳＬ）素子を有する照明装置に関する。
【０００２】
本発明は、前記照明装置を有する照明器具にも関する。
【背景技術】
【０００３】
人口が継続的に増えていることにより、世界のエネルギ需要を満たすこと、及び地球規模の温暖化現象の原因であると考えられている温室効果ガス排出を抑制するよう炭素排出を制御することは、ますます困難になっている。これらの問題は、エネルギ消費を減らす試みにおける電気のより効率的な使用への動きを引き起こしている。
【０００４】
１つのこのような問題領域は、家庭環境又は商業的環境における照明アプリケーションである。従来の、相対的にエネルギ効率の悪い、白熱又は蛍光電球のような電球の、よりエネルギ効率の良い代替物への置き換えに向かう明らかな傾向がある。実際、多くの自治体において、白熱電球の製造及び小売が禁止されており、斯くして、消費者に、例えば、白熱電球の交換時には、エネルギ効率の良い代替物を買うことを強いている。
【０００５】
特に将来有望な代替物は、白熱又は蛍光電球の何分の１かのエネルギコストで単位光出力を生成することができる固体照明（ＳＳＬ）装置によって供給される。このようなＳＳＬ素子の例は、発光ダイオード（ＬＥＤ）である。
【０００６】
白熱電球と同様の全体形状を持つＳＳＬ照明装置、例えば、球根状固体照明装置を供給することは既知である。このような装置は、従来の照明装置と同等である外観を供給することができ、顧客は、白熱電球の外観を好み得る又は白熱電球の外観に慣れているかもしれないので、このことは、市場浸透を助け得る。これらの球根状ＳＳＬ装置は、白熱電球を置き換えるために用いられてもよく、又は白熱電球と同様のアプリケーションにおいて用いられてもよい。とりわけ、これらのＳＳＬ照明装置は、白熱電球の代わりに組み込むのが特に容易であり得る。
【発明の概要】
【発明が解決しようとする課題】
【０００７】
従来技術の球根状のＳＳＬ素子をベースにした照明装置の例は、白熱電球のために用いられているのと同じガラスバルブ内に取り付けられるＳＳＬ素子を有する。しかしながら、ガラスが破損する場合に、たとえ、高い電流及び／又は電圧を運ぶランプのパーツにユーザがさらされ得るようにガラスが壊れても、前記装置は、依然として動作可能であり得る。その場合、ユーザがこれらのパーツに触れる場合に、電気ショックの著しいリスクがあり、これは、潜在的に有害である。
【０００８】
DE19927142C1は、透明担持板の、後部反射器に面する裏面に取り付けられる光源を持つ自動車用リフレクタ―ランプを開示している。担持板によって供給される光源のための接点は、担持板がランプに嵌め込まれる場合、対接点と接触させられる。十分な接触圧力を確保するため、接点としてらせん形ばねが用いられる。しかしながら、安全性の問題は、考慮に入れられておらず、ランプガラスが壊れる場合の露出接点による電気ショックの潜在的なリスクが依然としてある。
【課題を解決するための手段】
【０００９】
本発明は、ハウジングであって、壊れやすい光出射窓、及び前記ハウジング内の第１電気コネクタを含む取り付け具を有するハウジングと、複数のＳＳＬ素子、及び前記第１電気コネクタと接触している第２電気コネクタを有する、前記ハウジング内の担体アセンブリであって、前記第２電気コネクタが、前記光出射窓によって、前記第１電気コネクタと接触するよう保たれる担体アセンブリとを有する照明装置を提供する。
【００１０】
前記光出射窓が損なわれていないときには、前記ハウジングは、前記担体アセンブリの通電している構成要素による電気ショックからユーザを保護するのに役立ち得る。前記第２電気コネクタは、前記光出射窓によって、前記第１電気コネクタと接触するよう保たれるので、前記光出射窓が壊れる場合には、前記担体アセンブリは、前記担体アセンブリがユーザを電気ショックの危険にさらさないように、もはや通電しないだろう。従って、このような照明装置は、とりわけ安全であるだろう。
【００１１】
前記光出射窓は、球根状であってもよい。このことは、従来の白熱電球と同等である外観を供給することができ、従って、市場浸透を助け得る。
【００１２】
前記光出射窓は、ガラス製であってもよい。ガラスの使用はとりわけ経済的であるかもしれず、とりわけ、ガラスは、相対的に安価に入手可能であるかもしれず、且つ照明装置の分野で働いている人々になじみのある技術を用いて取り扱われ得る。
【００１３】
前記照明装置は、前記壊れやすい光出射窓が壊れる又は取り除かれるときに前記第１電気コネクタと前記第２電気コネクタとを離れさせるための圧縮された弾性素子を更に有してもよい。このような圧縮された弾性素子は、前記光出射窓が壊れる場合に、前記第１電気コネクタと前記第２電気コネクタとの間の電気接触の破壊を助け得る。前記弾性素子は、前記コネクタのいずれか又は前記照明装置の如何なる他の通電パーツとも電気的に接続されておらず、故に、たとえ、ユーザが前記弾性素子に触れても、安全性のリスクはない。
【００１４】
前記弾性素子は、バネを有してもよい。前記弾性素子は、例えば、コイルばねを有してもよい。
【００１５】
前記照明装置は、前記弾性素子と、前記第１電気コネクタと及び／又は前記第２電気コネクタとの間に電気絶縁スペーサを更に有してもよく、前記電気絶縁スペーサは、前記弾性素子の少なくとも一部を覆う。このことは、前記圧縮された弾性素子が、電気接続部、例えば、前記第１電気コネクタの２つの電極の間を短絡するのを防止し得る。
【００１６】
前記照明装置は、ユーザが前記第１電気コネクタと接触するのを防止するための、前記ハウジング内の安全カバーを更に有してもよい。このことは、前記光出射窓が壊れる場合に前記ユーザから前記第１電気コネクタを遮蔽することによって、前記ユーザに対する電気ショックを防止するのに役立ち得る。
【００１７】
前記安全カバーは、プラスチック材料製であってもよい。
【００１８】
前記第１電気コネクタは、２つの板ばねを有してもよい。前記ばねは、前記担体アセンブリを前記光出射窓に押し付けることによって、前記第１電気コネクタと前記第２電気コネクタとの間の良好な電気接触を可能にし得る。
【００１９】
前記光出射窓は、前記ハウジング内に延在する前記担体アセンブリと接続するための突出部を有してもよく、前記担体アセンブリの前記第２電気コネクタは、前記突出部によって、前記第１電気コネクタと接触するよう保たれる。このことは、前記光出射窓が損なわれていない間、前記第１電気コネクタと前記第２電気コネクタとの間の良好な電気接触を維持するのに役立ち得る。
【００２０】
前記担体アセンブリは、主要部と、前記主要部から前記光出射窓へ延在するアダプタとを有してもよい。このことは、前記主要部が、必要とされる前記担体アセンブリのサイズより小さい任意のサイズであることができ、前記アダプタのサイズしか調節される必要がないので、設計の柔軟性の増大を供給し得る。従って、前記担体アセンブリの主要部の選択において、設計者には、より少ない制約しか与えられない。
【００２１】
前記担体アセンブリは、プリント回路基板を有してもよい。
【００２２】
前記照明装置は、ドライバを有してもよい。
【００２３】
前記ドライバは、前記担体アセンブリに取り付けられてもよい。
【００２４】
他の例においては、前記ドライバは、前記取り付け具の上又は中に取り付けられてもよい。
【００２５】
前記第２電気コネクタは、電気接触ピンを有してもよい。電気接触ピンは、相対的に経済的であり、相対的に容易に前記担体アセンブリに取り付けられ得る。
【００２６】
本発明は、上記のような照明装置を有する照明器具も提供する。上記のように、前記照明装置は、相対的に安全であり得ることから、前記照明装置を有する前記照明器具も、相対的に安全であり得る。
【図面の簡単な説明】
【００２７】
本発明の実施例を、添付図面を参照して、非限定的な例として、より詳細に説明する。
【図１】本発明の実施例による照明装置の概略的な断面を図示する。
【図２】照明装置の光出射窓が壊れている図１の照明装置を概略的に図示する。
【図３】本発明の別の実施例による照明装置の概略的な断面を図示する。
【図４】図３の照明装置の概略的な他の断面を図示する。
【図５】照明装置の光出射窓が壊れている図３の照明装置を概略的に図示する。
【図６】本発明の別の実施例による照明装置の概略的な断面を図示する。
【図７】本発明の別の実施例による照明装置の概略的な断面を図示する。
【図８】本発明の別の実施例による照明装置の概略的な断面を図示する。
【図９】本発明の実施例による照明器具の概略的な断面を図示する。
【発明を実施するための形態】
【００２８】
図は、単に概略的なものに過ぎず、縮尺通りには描かれていないことは、理解されるべきである。図の全体を通じて、同じ参照符号は、同じ又は同様のパーツを示すために用いられていることも、理解されるべきである。
【００２９】
本発明の実施例は、ＳＳＬ素子をベースにした照明装置に関する。このような照明装置の特有の安全性の問題は、ガラスハウジングなどの壊れやすいハウジングの破損時に、ハウジングの内部のＳＳＬ素子などの電気部品は通電したままであるかもしれず、それによって、潜在的に、ユーザを、通電している電気部品との接触時に、電気ショックにさらすことである。
【００３０】
まず、添付図面の図１を参照すると、照明装置１００は、壊れやすい光出射窓１１０及び取り付け具１２０を含むハウジングを有する。取り付け具１２０は、ハウジング内にある第１電気コネクタ１２２を含む。ハウジング内には、担体アセンブリ１３０もある。担体アセンブリ１３０は、複数のＳＳＬ素子１３２と、第２電気コネクタ１３４とを有する。第２電気コネクタ１３４は、光出射窓１１０によって、第１電気コネクタ１２２と接触するよう保たれる。
【００３１】
その結果として、照明装置１００においては、光出射窓１１０が壊れる場合には、第２電気コネクタ１３４は、もはや、（壊れた）光出射窓１１０によっては、第１電気コネクタ１２２と接触するよう保たれず、斯くして、担体アセンブリ１３０がもはや通電しないように、第２電気コネクタ１３４と第１電気コネクタ１２２との間の接触を中断させる。従って、担体アセンブリ１３０は、光出射窓１１０が壊れる場合に、ユーザを電気ショックの危険にさらさない。これは図２に図示されており、ここで、ハウジングの光出射窓１１０が壊れる場合、第２電気コネクタ１３４は、もはや第１電気コネクタ１２２と接触しておらず、従って、担体アセンブリ１３０は、通電していないことが見られ得る。
【００３２】
当然、図１に図示されているように、担体アセンブリ１３０が照明装置１００のハウジング内にあり、ハウジングが損なわれていない場合には、ユーザが照明装置１００の通電している担体アセンブリ１３０と接触することはハウジングによって防止される。
【００３３】
光出射窓の破損の場合に相対的に安全である照明装置を提供するために電気絶縁ドライバを用いることは、従来技術から既知である。しかしながら、絶縁ドライバは、相対的に高価であるのに対して、照明装置１００は、相対的に単純であり、それ故、相対的に経済的であるだろう。通電している電気部品を例えばプラスチック又はゴム被覆で封じ込めることも既知であるが、これは、相対的にコストがかかり、わずらわしく、発光性能に悪影響を及ぼすだろう。
【００３４】
選択された実施例においては、固体照明（ＳＳＬ）素子１３２は、発光ダイオード（ＬＥＤ）であり得る。ＳＳＬ素子１３２の各々は、同じ色の光を発してもよく、他の例においては、ＳＳＬ素子は、当業者には既知であるように、所望の効果を供給するために、異なる色の光を発するよう構成されてもよい。例えば、このような色は、所望の色の発光出力をもたらすようハウジング内で混ざり合い得る。
【００３５】
光出射窓１１０は球根状であり得る。これは、白熱電球などの従来の照明装置と同等である外観を供給し得る。顧客は、このような従来の照明装置の外観を好み得る又はこのような従来の照明装置の外観に慣れているかもしれないので、従来の照明装置と同様である外観は、前記照明装置の市場浸透を助け得る。
【００３６】
光出射窓１１０はガラス製であり得る。ガラスは、相対的に安価に入手可能であり得る材料である。ガラスはまた、照明装置を製造する人々になじみがある技術を用いて相対的に容易に取り扱われ得る。
【００３７】
第１電気コネクタ１２２は、ばね付き素子を含み得る。ばね付き素子は、第１電気コネクタ１２２と第２電気コネクタ１３４との間に良好な機械的な接触があるように担体アセンブリ１３０を光出射窓１１０に押し付けることによって、第１電気コネクタ１２２と第２電気コネクタ１３４との間の良好な電気接触を可能にし得る。例えば、第１電気コネクタ１２２は、２つの板ばねを含み得る。板ばねは、相対的に経済的な電気接続部であり得る。
【００３８】
第２電気コネクタ１３４は、電気接触ピンを含み得る。電気接触ピンは、相対的に経済的な電気コネクタであり得る。更に、電気接触ピンは、担体アセンブリ１３０に取り付けることが相対的に容易であり得る。他の例においては、第２電気コネクタ１３４が、板ばねなどのばね付き素子を有してもよく、これは、上記のような、第１電気コネクタ１２２がばね付き素子を有する場合と同様の利点を供給することができ、それは、第１及び第２電気コネクタ１２２、１３４間の良好な電気接触を確保するのに役立ち得る。
【００３９】
明らかであるだろうように、第１及び第２電気コネクタ１２２、１３４の一方又は両方が、ばね付き素子を有してもよく、このことは、コネクタ１２２、１３４間の良好な電気接触を確保するのに役立ち得る。
【００４０】
取り付け具１２０は、第３電気コネクタ１２６を含み得る。第３電気コネクタ１２６は、照明装置１００に電力を供給するためのものである。第３電気コネクタ１２６は、任意の電気コネクタ、例えば、エジソン式ねじ込み継手若しくは差し込み継手、又は当業者には思い当たり得るような任意の他の適切な電気コネクタであり得る。
【００４１】
図３、４及び５は、照明装置１００の別の実施例を図示している。この実施例は、上で図１及び２に関して記載した実施例と実質的に同様であり、従って、違いしか記載しない。
【００４２】
図３及び４に示されているように、照明装置１００は、壊れやすい光出射窓１１０が壊れる又は取り除かれる場合に第１電気コネクタ１２２と第２電気コネクタ１３４とを離れさせるための圧縮された弾性素子１５０を更に含み得る。それ故、この圧縮された弾性素子１５０は、光出射窓１１０が壊れる場合に、担体アセンブリ１３０がユーザを電気ショックの危険にさらさないように、第１電気コネクタ１２２と第２電気コネクタ１３４との間の電気接触の破壊を助け得る。これは、光出射窓１１０が壊れている図３及び４の照明装置を図示している図５に図示されている。コネクタ１２２、１３４が、弾性素子１５０によって離されていることから、第２電気コネクタ１３４は、もはや第１電気コネクタ１２２と接触しておらず、従って、担体アセンブリ１３０は通電していないことが見られ得る。図５においては、弾性素子１５０が、第１電気コネクタ１２２と第２電気コネクタ１３４との間の電気接触の破壊を助けるために伸張していることが見られ得る。弾性素子１５０は、コネクタのいずれか又は照明装置の如何なる他の通電パーツとも電気的に接続されておらず、故に、たとえ、ユーザが弾性素子１５０に触れても、安全性のリスクはない。
【００４３】
圧縮された弾性素子１５０は、ばね、例えば、圧縮コイルばねを含み得る。このようなばねは、相対的に経済的に入手可能であり、一般に、照明装置の寿命を上回って前記ばねの弾性を保ち得るので、とりわけ適切であり得る。
【００４４】
図３及び４に示されているように、照明装置１００は、ハウジング内に、第１電気コネクタ１２２と接触するのを防止するための安全カバー１６０を更に含み得る。第１電気コネクタ１２２は、壊れやすい光出射窓１１０が壊れるときに通電したままであるかもしれず、上記のように、前記照明装置の構成は、担体アセンブリ１３０からの電気ショックの危険性を減らすことができるが、第１電気コネクタ１２２は、依然として、電気ショックの危険性を引き起こし得る。従って、より安全な装置を提供するために、窓１１０が破損する場合に、場合によっては通電している第１電気コネクタ１２２とユーザが接触するのを防止するよう、安全カバー１６０が設けられ得る。安全カバー１６０は、担体アセンブリ１３０を受け、担体アセンブリ１３０の第２電気コネクタ１３４が第１電気コネクタ１２２と接触することを可能にするが、光出射窓が破損する場合にユーザが第１電気コネクタ１２２と接触することは防止される。
【００４５】
安全カバー１６０は、プラスチック材料製又は任意の他の適切な電気絶縁材料製であり得る。プラスチック材料は、とりわけ経済的であり得る。
【００４６】
担体アセンブリ１３０は、プリント回路基板１４０を含み得る。プリント回路基板（ＰＣＢ）は、電気コネクタ１２２、１３４から固体照明素子１３２に電気を供給する便利な方法である。プリント回路基板１４０は、当業界でよく用いられている材料製であってもよく、当業者には既知であるような手順に従って製造されてもよい。当然、上で図１及び２に関して記載した実施例の担体アセンブリも、ＰＣＢを含み得る。
【００４７】
照明装置１００は、ドライバ１４２を更に含み得る。ドライバ１４２は、図３に示されているように、担体アセンブリ１３０に取り付けられ得る。例えば、ドライバ１４２は、プリント回路基板１４０に取り付けられ得る。他の例においては、ドライバは、取り付け具１２０に取り付けられ得る。ドライバ１４２が、照明装置１００の一部として設けられない場合には、ドライバは、照明器具の一部として、又は幾つかの他の方法では、照明装置１００の外部に、設けられ得る。
【００４８】
図６は、照明装置１００の別の実施例を図示している。この実施例は、上記の実施例と実質的に同様であり、従って、違いしか記載しない。
【００４９】
照明装置１００は、電気絶縁スペーサ１５２を更に含み得る。電気絶縁スペーサ１５２は、弾性素子１５０の少なくとも一部を覆い、弾性素子１５０と第１及び／又は第２電気コネクタ１２２、１３４との間に位置する。電気絶縁スペーサ１５２は、圧縮された弾性素子１５０が、電気接続部を短絡するのを、例えば、第１電気コネクタ１２２の２つの電極の間を短絡するのを防止するためのものである。このようなスペーサ１５２の使用は、圧縮された弾性素子１５０が、導電性ばね、例えば、金属ばねである場合、有利であり得る。他の例においては、前記短絡を回避するために、例えばプラスチック材料製の、圧縮された電気絶縁弾性素子１５０を設けることが望ましいだろう。
【００５０】
図７は、照明装置１００の別の実施例を図示している。この実施例は、上記の実施例と実質的に同様であり、従って、違いしか記載しない。
【００５１】
照明装置１００の光出射窓１１０は、担体アセンブリ１３０と接続するための突出部１１２を更に含み得る。突出部１１２は、ハウジング内に延在し、担体アセンブリ１３０の第１電気コネクタ１２２は、突出部１１２によって、第１電気コネクタと接触するよう保たれる。突出部１１２は、第１電気コネクタ１２２と第２電気コネクタ１３４との間のとりわけ安定した電気接触を供給するのに役立ち得る。例えば、図７に図示されているように、突出部１１２は、担体アセンブリ１３０の対応する平坦な表面と接続する平坦な表面を持ち得る。他の例として、突出部１１２は、担体アセンブリ１３０の前縁を受けるための溝を有してもよく、このような溝は、担体アセンブリ１３０と光出射窓１１０との間の良好な嵌合を確保し得る。突出部１１２と担体アセンブリ１３０の前縁との間の安定した相互作用を達成するための、一方の突出部１１２と、他方の担体アセンブリ１３０の前縁との間の他の適切な相補形状は、当業者には明らかであるだろう。
【００５２】
図８は、照明装置１００の別の実施例を図示している。この実施例は、上記の実施例と実質的に同様であり、従って、違いしか記載しない。
【００５３】
照明装置１００の担体アセンブリ１３０は、主要部１３６と、主要部１３６から光出射窓１１０へ延在するアダプタ１３８とを含み得る。これは、アダプタ１３８の寸法しか変更する必要がなく、照明装置１００の残りの部分を変更する必要なしに、複数の異なるサイズの担体１３０の使用を可能にし得る。アダプタ１３８、例えば、プラスチックは、異なるサイズの担体１３０を光出射窓１１０にフィットさせるサイズに切断され得る。担体アセンブリ１３０の主要部１３６の選択において、設計者に、より少ない制約しか与えられないように、担体アセンブリ１３０の主要部１３６ではなく、アダプタ１３８をサイズ変更する又は選択することは、より容易であり得ることは、理解されるだろう。従って、このようなアダプタ１３８の使用は、相対的に単純で、それ故、潜在的にコスト効率の良い方法で、第１電気コネクタ１２２と第２電気コネクタ１３４との間の良好な電気接触を確保するのに役立ち得る。
【００５４】
更に、アダプタ１３８は、光出射窓１１０に合うよう成形されてもよく、例えば、アダプタ１３８は、光出射窓１１０と合う弓状表面を持ち得る。
【００５５】
図９は、本発明の任意の実施例による照明装置１００が、例えば、天井照明器具、キャビネットの下に取り付けるためのアーマチュアなどの照明装置１００のホルダ、例えば、レンジフードなどの照明装置が組み込まれる器具などのような照明器具２００に有利に含まれ得ることを図示している。図９は、照明器具２００のハウジング２１０に取り付けられる複数の照明装置１００を有する照明器具２００を概略的に図示している。照明器具２００は、光出射窓２２０を有する。光出射窓２２０は、随意に、１つ以上のレンズアレイ、反射器などのようなビームシェーパーを含み得る。他の例においては、光出射窓２２０は、単に、ハウジング２１０における開口部によって形成されてもよい。ハウジング２１０の内面は、照明装置１００を出る光を反射するよう反射性であり得る。
【００５６】
照明装置１００の固体照明素子１３２は、照明器具２００の光出射窓２２０に面し得る。他の例においては、照明装置１００は、固体照明素子１３２が光出射窓２２０に背を向けるように照明器具２００に取り付けられ得る。固体照明素子１３２が光出射窓２２０に背を向ける場合には、ハウジング２１０の内面は、照明器具２００の光出射窓２２０の方へ照明装置１００を出る光を反射するよう反射性でなければならない。
【００５７】
非限定例において、照明器具２００は、天井アーマチュア、例えば、つり天井に組み込まれるアーマチュアであり得る。このような照明器具２００の他の例は、当業者には明らかであるだろう。  
【００５８】
上記の実施例は、本発明を限定するものではなく、説明するものであって、当業者は、添付の請求項の範囲から逸脱せずに多くの別の実施例を設計することができるであろうことに注意されたい。請求項において、括弧内に配置されるいかなる参照符号も、請求項を限定するものとして解釈されるべきではない。「有する」という単語は、請求項において挙げられている要素又はステップ以外の要素又はステップの存在を除外しない。要素の単数形表記は、複数のこのような要素の存在を除外しない。本発明は、幾つかの別個の要素を有するハードウェアによって実施され得る。幾つかの手段を列挙している装置の請求項においては、これらの手段のうちの幾つかは、ハードウェアの全く同一のアイテムによって実施され得る。単に、特定の手段が、相互に異なる従属請求項において引用されているという事実は、これらの手段の組み合わせが有利になるように用いられることができないことを示すものではない。
【図１】
0006493925.tif 000002
【図２】
0006493925.tif 000003
【図３】
0006493925.tif 000004
【図４】
0006493925.tif 000005
【図５】
0006493925.tif 000006
【図６】
0006493925.tif 000007
【図７】
0006493925.tif 000008
【図８】
0006493925.tif 000009
【図９】
0006493925.tif 000010